(57)【要約】【課題】押釦ハンドルに過大な力が加わることを抑制する。【解決手段】器体１０は、前面における一端側に軸部１２１が設けられ、前記前面における他端側に、ピアノハンドル２が押釦ハンドル１３を押し動かす範囲を規制するストッパ部１２４が設けられる。故に、本実施形態のスイッチ１は、ストッパ部１２４によってピアノハンドル２の回転範囲が規制されるので、押釦ハンドル１３に過大な力が加わることを抑制することができる。【選択図】        図１
2015149195.tif 000002
【特許請求の範囲】
【請求項１】
箱形の器体と、前記器体内に収納される接点と、前記器体の前面から一部が露出し、且つ前記一部に外力を受けたときに前記器体内に向かって移動可能に設けられる押釦ハンドルと、前記器体内に収納され、前記押釦ハンドルが前記器体内に向かって移動することで前記接点の状態を切り換える切換機構と、前記押釦ハンドルよりも大きいハンドルを前記器体の前後方向に沿って回転可能に支持する支持部とを備え、
前記押釦ハンドルは、前記ハンドルが前記器体の前面に近付く向きに回転するときに前記ハンドルによって押し動かされるように構成され、
前記器体は、前面における一端側に前記支持部が設けられ、前記前面における他端側に、前記ハンドルが前記押釦ハンドルを押し動かす範囲を規制するストッパ部が設けられることを特徴とするスイッチ。
【請求項２】
前記ストッパ部は、前記器体に設けられ、前記ハンドルが前記器体の前面に近付く向きに回転したときに前記ハンドルに当たるように構成されることを特徴とする請求項１記載のスイッチ。
【発明の詳細な説明】
【技術分野】
【０００１】
本発明は、スイッチに関し、特にピアノハンドルなどのハンドルと組み合わせて使用されるスイッチに関する。
【背景技術】
【０００２】
従来例として、特許文献１記載のピアノハンドル式スイッチを例示する。特許文献１記載の従来例は、矩形箱状の器体と、器体の前面に設けられる押釦ハンドルとを有する。このスイッチは、押釦ハンドルが押し込まれる毎に、器体内に収納されている接点の状態(例えば、接点を閉じた状態と開いた状態)を切り換えるように構成されている。
【０００３】
また、特許文献１記載の従来例では、押釦ハンドルを押操作するために、器体の前面側にハンドル(ピアノハンドル)が取り付けられている。このハンドルは、器体の前面よりも十分に大きい寸法を有する矩形板状に形成されている。そして、ハンドルは、器体の前面において、短幅方向の一端で揺動可能に器体に支持される。つまり、ハンドルは、スイッチに向かう向きの力を受けて回転し、背面に設けられる突起でスイッチの押釦ハンドルを押し込むように構成される。
【先行技術文献】
【特許文献】
【０００４】
【特許文献１】特開２００４−２９６２３０号公報
【発明の概要】
【発明が解決しようとする課題】
【０００５】
ところで、上記従来例においては、ハンドルが過剰な力で押された場合、押釦ハンドルを介して、器体内に収納されている接点や、接点の状態を切り換える機構に過大な力が加わることになる。そして、このような過大な力が頻繁に加わった場合、押釦ハンドルや前記機構などの寿命が短くなったり、あるいは合成樹脂製の部品が破損するといった不具合の生じる虞がある。
【０００６】
本発明は、上記課題に鑑みて為されたものであり、押釦ハンドルに過大な力が加わることを抑制することを目的とする。
【課題を解決するための手段】
【０００７】
本発明のスイッチは、箱形の器体と、前記器体内に収納される接点と、前記器体の前面から一部が露出し、且つ前記一部に外力を受けたときに前記器体内に向かって移動可能に設けられる押釦ハンドルと、前記器体内に収納され、前記押釦ハンドルが前記器体内に向かって移動することで前記接点の状態を切り換える切換機構と、前記押釦ハンドルよりも大きいハンドルを前記器体の前後方向に沿って回転可能に支持する支持部とを備え、前記押釦ハンドルは、前記ハンドルが前記器体の前面に近付く向きに回転するときに前記ハンドルによって押し動かされるように構成され、前記器体は、前面における一端側に前記支持部が設けられ、前記前面における他端側に、前記ハンドルが前記押釦ハンドルを押し動かす範囲を規制するストッパ部が設けられることを特徴とする。
【０００８】
このスイッチにおいて、前記ストッパ部は、前記器体に設けられ、前記ハンドルが前記器体の前面に近付く向きに回転したときに前記ハンドルに当たるように構成されることが好ましい。
【発明の効果】
【０００９】
本発明のスイッチは、ストッパ部によってハンドルの回転範囲が規制されるので、押釦ハンドルに過大な力が加わることを抑制することができるという効果がある。
【図面の簡単な説明】
【００１０】
【図１】本発明に係るスイッチの実施形態を示し、ピアノハンドルが取り付けられた状態の斜視図である。
【図２】同上の斜視図である。
【図３】同上を示し、ピアノハンドルが押操作された状態の斜視図である。
【図４】同上を示し、ピアノハンドル、取付枠、配線器具用プレートが取り付けられた状態の側面図である。
【図５】同上を示し、ピアノハンドル、取付枠、配線器具用プレートが取り付けられた状態の側面図である。
【発明を実施するための形態】
【００１１】
本発明に係るスイッチの実施形態について、図面を参照して詳細に説明する。本実施形態のスイッチ１は、特許文献１記載の従来例と同様にピアノハンドル２と組み合わせて使用されるスイッチである。ただし、以下の説明では、特に断りの無い限り、図２に示すように上下左右前後の各方向を規定する。
【００１２】
このスイッチ１は、矩形箱形の合成樹脂成形体からなる器体１０を備える。なお、この器体１０は、前方に開口したスイッチボディ１１と、後方に開口したスイッチカバー１２とが結合されて構成されている。
【００１３】
スイッチカバー１２は、前面の長手方向の中央から右側に寄せて、矩形の孔１２０が開口されている。そして、この孔１２０には、押釦ハンドル１３が前後方向に移動可能に配設されている。
【００１４】
また、スイッチカバー１２の前面の左側の端には、一対の軸部(支持部)１２１が上下方向に並べて設けられている。これらの軸部１２１は、前端部分が円柱状に形成されており、ピアノハンドル２の軸受け部(図示せず)が回転可能に取り付けられる。
【００１５】
さらに、スイッチカバー１２は、左右両側の側面に、一対の取付爪１２５がそれぞれ上下方向に間隔を空けて並ぶように設けられている。
【００１６】
図示は省略するが、接点と、接点の状態を切り換える切換機構とが器体１０内に収納されている。前記切換機構は、押釦ハンドル１３が押操作されて器体１０内に移動する毎に、前記接点の状態(例えば、接点が閉じた状態と接点が開いた状態)を切り換えるように構成される。ただし、このような前記接点及び前記切換機構は、特許文献１記載の従来例に開示されているように従来周知であるから、詳細な構成の図示並びに説明を省略する。
【００１７】
ピアノハンドル２は、合成樹脂材料によって矩形平板状に形成されている。また、ピアノハンドル２は、左側の後面に前記軸受け部が設けられている。さらに、ピアノハンドル２は、右端における上下方向の中央に、後方へ突出する一対の抜け止め片２０が設けられている。これらの抜け止め片２０は、スイッチカバー１２の前面に形成される挿入孔１２２を通してスイッチカバー１２内の空所１２３に挿入され、先端に設けられる爪(図示せず)が挿入孔１２２の周縁に引っ掛かるように構成される。
【００１８】
上述のように構成されるスイッチ１は、図４及び図５に示すように、取付枠３及び配線器具用プレート(以下、プレートと略す。)４を用いて、壁などの造営材に埋込配設される。
【００１９】
取付枠３は、合成樹脂又は金属板により、器具取付用の窓孔(図示せず)を有した矩形枠状に形成される。取付枠３は、長手方向(上下方向)に沿った一対の縦片３０と、一対の縦片３０の両端同士を連結する一対の横片３１とを有する。つまり、一対の縦片３０及び一対の横片３１に囲まれた空間が窓孔となる。
【００２０】
一対の縦片３０は、図５に示すように複数(図示例では８個ずつ)の器具取付孔３００が設けられている。これらの器具取付孔３００には、スイッチ１の左右両側面に突出する各一対の取付爪１２５が挿入される。つまり、一対の取付爪１２５がそれぞれ一対の器具取付孔３００に挿入されることにより、器体１０の前端部が窓孔に挿通された状態でスイッチ１が取付枠３に取り付けられる(図４及び図５参照)。
【００２１】
取付枠３は、例えば、壁に設けられる埋込孔の周辺に一対の横片３１が当たるようにして、当該壁に埋め込まれたスイッチボックス(図示せず)に取り付けられる。つまり、各横片３１のねじ挿通孔(図示せず)に挿通される２本のボルト(図示せず)が、スイッチボックスのねじ孔にねじ止めされる。ただし、スイッチボックスが埋め込まれていない場合、取付枠３は、従来周知の挟み金具(図示せず)を用いて壁板に固定される。
【００２２】
プレート４は、取付枠３に取り付けられるプレートボディ(図示せず)と、プレートボディを覆うようにプレートボディに着脱可能に取り付けられるプレートカバー４０とを備える。プレートカバー４０は、図４に示すように前壁４００と側壁４０１とが合成樹脂成形体として一体に構成されている。前壁４００の中央には、矩形の窓(図示せず)が貫通している。
【００２３】
そして、プレートカバー４０は、窓に挿通されるピアノハンドル２を除いて、スイッチ１及び取付枠３、プレートボディ、埋込孔を前方から覆い隠す。なお、ピアノハンドル２は、プレートカバー４０の窓を通して前方から操作可能である。
【００２４】
スイッチ１に取り付けられたピアノハンドル２に後ろ向きの力(以下、操作力と呼ぶ。)が加わると、軸部１２１を支点としてピアノハンドル２が回転し、スイッチ１の押釦ハンドル１３が後ろ向きに押される。その結果、押釦ハンドル１３が器体１０内に押し込まれて接点の状態が切り換わる。そして、ピアノハンドル２に操作力が加えられなくなると、押釦ハンドル１３が器体１０の外へ移動する。このとき、押釦ハンドル１３に押されたピアノハンドル２がスイッチ１の前面から離れる向きに回転し、一対の抜け止め片２０の爪が挿入孔１２２の周縁に引っ掛かる位置で停止する(図１参照)。
【００２５】
ところで、ピアノハンドル２は、操作力が加えられていない状態においては、図４に示すようにプレートカバー４０の前壁４００からほぼ均等に前方へ突出している。一方、特許文献１記載の従来例におけるピアノハンドルは、操作力が加えられていない状態において、片側(回転の支点から遠い側)の方がプレートの前壁から前方への突出量が多くなっている。故に、従来例においては、前記片側がプレートの前壁と面一になる程度までピアノハンドルが押されれば、スイッチの接点の状態を切り換えることができる。これに対して、本実施形態のスイッチ１は、プレートカバー４０の前壁４００よりも後方(奥)までピアノハンドル２が押されないと接点の状態が切り換わらない。そのため、本実施形態では、ピアノハンドル２が必要以上に押し込まれて過大な操作力が加えられる可能性が高い。
【００２６】
そこで、本実施形態のスイッチ１は、器体１０(スイッチカバー１２)の前面における右端にストッパ部１２４が設けられている。ストッパ部１２４は、直方体状の突起であり、一対の挿入孔１２２に挟まれるように間隔を空けて２つ設けられている。
【００２７】
而して、操作力によってピアノハンドル２が回転した場合、器体１０前面に設けられたストッパ部１２４の前端に当たる位置でピアノハンドル２の回転が規制される(図３参照)。つまり、ピアノハンドル２の回転がストッパ部１２４で規制されるので、ピアノハンドル２が押釦ハンドル１３を後ろ向きに押し動かす範囲も規制される。その結果、ピアノハンドル２に過大な操作力が加えられたとしても、押釦ハンドル１３に過大な力が加わることが回避できる。
【００２８】
上述のように本実施形態のスイッチ１は、箱形の器体１０と、器体１０内に収納される接点と、器体１０の前面から一部が露出し、且つ前記一部に外力を受けたときに器体１０内に向かって移動可能に設けられる押釦ハンドル１３とを備える。また、本実施形態のスイッチ１は、器体１０内に収納され、押釦ハンドル１３が器体１０内に向かって移動することで前記接点の状態を切り換える切換機構を備える。さらに、本実施形態のスイッチ１は、押釦ハンドル１３よりも大きいハンドル(ピアノハンドル２)を器体１０の前後方向に沿って回転可能に支持する支持部(軸部１２１)を備える。押釦ハンドル１３は、ハンドル(ピアノハンドル２)が器体１０の前面に近付く向きに回転するときにハンドル(ピアノハンドル２)によって押し動かされるように構成される。器体１０は、前面における一端側に支持部(軸部１２１)が設けられ、前記前面における他端側に、ハンドル(ピアノハンドル２)が押釦ハンドル１３を押し動かす範囲を規制するストッパ部１２４が設けられる。
【００２９】
本実施形態のスイッチ１は上述のように構成されるので、ストッパ部１２４によってピアノハンドル２の回転範囲が規制される。その結果、本実施形態のスイッチ１は、押釦ハンドル１３に過大な力が加わることを抑制することができる。
【００３０】
また、本実施形態のスイッチ１において、ストッパ部１２４は、器体１０に設けられ、ハンドル(ピアノハンドル２)が器体１０の前面に近付く向きに回転したときにハンドル(ピアノハンドル２)に当たるように構成されることが好ましい。上記構成によれば、ハンドル(ピアノハンドル２)に加わる過大な力を、ハンドル(ピアノハンドル２)と器体１０の双方で受けることにより、ハンドル(ピアノハンドル２)が破損することが回避できる。
【００３１】
なお、本実施形態のスイッチ１では、２つのストッパ部１２４が器体１０に設けられているが、ストッパ部１２４は１つ又は３つ以上設けられても構わない。
【符号の説明】
【００３２】
１  スイッチ
２  ピアノハンドル(ハンドル)
１０  器体
１３  押釦ハンドル
１２１  軸部(支持部)
１２４  ストッパ部
【図１】
2015149195.tif 000003
【図２】
2015149195.tif 000004
【図３】
2015149195.tif 000005
【図４】
2015149195.tif 000006
【図５】
2015149195.tif 000007